(57)【要約】【課題】くじを途中購入でき、かつ、後から購入した購入者が有利にはならないように配当金を配当することができるくじ販売システムを提供すること。【解決手段】くじ販売システム１は、所定チームが所定期間に予め定められた回数だけ他のチームと行う複数の試合についての所定期間を通じた最終的な試合結果を予測対象とするくじを販売するくじ販売装置２０と、くじを購入して当選した当選者に対してくじの配当金を配当するくじ当選金配当サーバ１０とを備え、くじ当選金配当サーバ１０は、所定期間において初回の試合が始まる前にくじを購入した当選者に配当される所定等級の当選金すべてを基準当選金として、初回の試合が開始して最終試合までの残りの試合が存在している期間中にくじを購入した当選者の所定等級の１口当りの配当金を、くじを購入した時期が遅いほど、基準当選金から求められる１口当りの配当金よりも減額して配当する。【選択図】図１
2009230639.tif 000002
【特許請求の範囲】
【請求項１】
所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を配当するくじ当選金配当サーバとを備えるくじ販売システムにおいて、
前記くじ当選金配当サーバは、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から算出される１口当りの配当金よりも減額して配当する
ことを特徴とするくじ販売システム。
【請求項２】
前記くじ当選金配当サーバは、
前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、
当該等級において購入時期に関わらずに全当選者に配当される全当選金を前記配当金分割指数で除した除算結果を前記基準当選金に定め、
前記所定回の競技とその次回の競技との合間に購入した当選者に対する当該等級の当選金のすべてを、前記次回の競技についての前記期間減額指数と前記基準当選金との積を示す金額として割り当てる
ことを特徴とする請求項１に記載のくじ販売システム。
【請求項３】
所定の競技者が所定期間に予め定められた回数だけ他の競技者と行う複数回の競技についての前記所定期間を通じた最終的な競技結果を予測対象とするくじを購入して当選した当選者に対して前記くじの配当金を配当するくじ当選金配当サーバであって、
初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算手段を備える
ことを特徴とするくじ当選金配当サーバ。
【請求項４】
前記配当計算手段は、
前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、
当該等級において購入時期に関わらずに全当選者に配当される全当選金を前記配当金分割指数で除した除算結果を前記基準当選金に定め、
前記所定回の競技とその次回の競技との合間に購入した当選者に対する当該等級の当選金のすべてを、前記次回の競技についての前記期間減額指数と前記基準当選金との積を示す金額として割り当てる
ことを特徴とする請求項３に記載のくじ当選金配当サーバ。
【請求項５】
所定の競技者が所定期間に予め定められた回数だけ他の競技者と行う複数回の競技についての前記所定期間を通じた最終的な競技結果を予測対象とするくじを購入して当選した当選者に対して前記くじの当選金を配当した配当金を計算する配当計算手段を備えたくじ当選金配当サーバのくじ当選金配当方法であって、
前記当選金配当サーバは、
前記配当計算手段によって、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算ステップを含んで実行する
ことを特徴とするくじ当選金配当方法。
【請求項６】
前記配当計算手段は、
前記配当計算ステップにて、
前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、
当該等級において購入時期に関わらずに全当選者に配当される全当選金を前記配当金分割指数で除した除算結果を前記基準当選金に定め、
前記所定回の競技とその次回の競技との合間に購入した当選者に対する当該等級の当選金のすべてを、前記次回の競技についての前記期間減額指数と前記基準当選金との積を示す金額として割り当てる
ことを特徴とする請求項５に記載のくじ当選金配当方法。
【請求項７】
所定の競技者が所定期間に予め定められた回数だけ他の競技者と行う複数回の競技についての前記所定期間を通じた最終的な競技結果を予測対象とするくじを購入して当選した当選者に対して前記くじの配当金を配当するために、コンピュータを、
初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算手段、
として機能させることを特徴とする配当計算プログラム。
【請求項８】
所定の競技者が所定期間に予め定められた回数だけ他の競技者と行う複数回の競技についての前記所定期間を通じた最終的な競技結果を予測対象とするくじを購入して当選した当選者に対して前記くじの配当金を算出するくじ当選金配当サーバとを備えるくじ販売システムであって、
前記くじ当選金配当サーバは、前記くじを購入した当選者に対して、購入時期の残り試合数が多いほど高い配当金額を与えるようにした
ことを特徴とするくじ販売システム。
【請求項９】
所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を算出するくじ当選金配当サーバとを備えるくじ販売システムであって、
前記くじ当選金配当サーバは、前記くじを購入した当選者に配当される所定等級の当選金を当該等級の当選口数と購入時期の残り試合数に応じた優遇比率により分配して基本配当金額とし、
前記基本配当金額と、各当選者の購入時期における残り試合数に応じた優遇比率をもとに１口当たりの配当金額として算出する
ことを特徴とするくじ販売システム。
【請求項１０】
所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を算出するくじ当選金配当サーバとを備えるくじ販売システムであって、
前記くじ当選金配当サーバは、前記くじを購入した当選者に配当される所定等級の当選金を当該等級の当選口数と購入時期の残り試合数に応じた優遇比率で分割して単位当たりの配当金を決定し、
前記単位当たりの配当金に、各当選者の購入時期における残り試合数に応じた優遇比率を掛けた金額を１口当たりの配当金額として算出する
ことを特徴とするくじ販売システム。
【請求項１１】
前記優遇比率は、購入時期の残り試合数のｎ乗、または購入時期の残り試合数に所定の係数を掛けた値である
ことを特徴とする請求項９または請求項１０に記載のくじ販売システム。
【発明の詳細な説明】
【技術分野】
【０００１】
本発明は、くじ販売システム、くじ当選金配当サーバ、くじ当選金配当方法および配当計算プログラムに係り、特に、所定期間に亘って行われる複数の試合をくじ対象とするくじ販売システム、くじ当選金配当サーバ、くじ当選金配当方法および配当計算プログラムに関するものである。
【背景技術】
【０００２】
従来、券売機やインターネットを介して野球の試合結果を予想する野球くじを販売する技術（特許文献１参照）や、試合結果の予想をマークシートに記入するスポーツ振興くじに関する技術（特許文献２参照）が知られている。このうち、スポーツ振興くじの購入可能期間（投票可能期間）は、例えば、開催期間が２週間に亘って予定されているくじについては、発売開始から、そのくじの中に記載されている一番早い時間に開始する試合の１０分前までとなっている。サッカーのようにチーム（選手）が他のチーム（選手）と競技する試合結果に関するくじ以外に、競馬のように動物のレース（競走）の結果に関するくじ（勝ち馬投票券）も存在する。このような公営ギャンブルの試合やレース（以下、総称して競技という）の結果について予想するくじを購入して予想が的中した購入者（当選者）は、購入口数に応じた配当金（払戻金）を取得することができる。配当金は、くじの販売状況（利用者の投票状況）によって変動する。
【特許文献１】特開２００２−３４２５３０号公報
【特許文献２】特開２００２−２３４２８５号公報
【発明の開示】
【発明が解決しようとする課題】
【０００３】
従来の公営くじは、くじ対象とする競技が始まる前に、くじの販売が締め切られる。そのため、例えば、１ヶ月〜１年のように複数日に亘って開催されるシリーズの対戦成績をくじ対象とするくじ種を想定すると、初回の競技が始まってしまった後では、たとえ残りの競技が始まっていなかったとしても、くじの追加購入をすることができない。仮に追加購入することが可能であれば、利用者は追加購入時には予想が的中し易くなるので配当金を取得できる可能性が高くなる。したがって、この場合には、くじを購入（投票）しようとする利用者を増加させることが期待される。しかし、このようなシリーズの対戦成績のくじを途中購入できるようにすると、途中購入者が、シリーズ開始前に投票したくじ購入者よりも、予想が的中し易いため有利になってしまう。
【０００４】
そこで、本発明では、前記した問題を解決し、くじを途中購入でき、かつ、後から購入した購入者が有利にはならないように配当金を配当することができるくじ販売システム、くじ当選金配当サーバ、くじ当選金配当方法および配当計算プログラムを提供することを目的とする。
【課題を解決するための手段】
【０００５】
本発明は、前記目的を達成するために創案されたものであり、本発明のうち請求項１に記載のくじ販売システムは、所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を配当するくじ当選金配当サーバとを備えるくじ販売システムにおいて、前記くじ当選金配当サーバが、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から算出される１口当りの配当金よりも減額して配当することを特徴とする。
【０００６】
かかる構成によれば、くじ販売システムでは、くじ当選金配当サーバは、初回の競技が始まる前に販売されたくじに配当される所定等級の当選金すべてを基準当選金として、より遅く販売されたくじについての所定等級の１口当りの配当金を、基準当選金から算出される１口当りの配当金よりも減額して配当する。したがって、くじ販売システムは、利用者がくじを途中でも購入できるようにさせ、かつ、後から購入した購入者が有利にはならないように配当金を配当することができる。ここで、競技者は、チームやその所属選手または競走馬等の動物を示す。
【０００７】
また、請求項２に記載のくじ販売システムは、請求項１に記載のくじ販売システムにおいて、前記くじ当選金配当サーバが、前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、当該等級において購入時期に関わらずに全当選者に配当される全当選金を前記配当金分割指数で除した除算結果を前記基準当選金に定め、前記所定回の競技とその次回の競技との合間に購入した当選者に対する当該等級の当選金のすべてを、前記次回の競技についての前記期間減額指数と前記基準当選金との積を示す金額として割り当てることを特徴とする。
【０００８】
かかる構成によれば、くじ販売システムでは、くじ当選金配当サーバは、配当金分割指数を用いることで、購入時期に関わらない平均化された当選金を基準当選金として定める。この基準当選金は、初回の競技が始まる前にくじを購入した当選者に配当される所定等級の当選金すべてであると同時に、販売期間におけるくじ購入時期に応じた当選者の分布を反映した所定等級の配当金の基準金額となる。そして、くじ当選金配当サーバは、各回の競技についての期間減額指数と基準当選金との積を求める。ここで、期間減額指数と基準当選金との積、すなわち、例えば、初回の競技と２回目の競技との合間の期間に販売された各くじの当選による全配当金は、２回目の競技と３回目の競技との合間の期間に販売された各くじの当選による全配当金よりも多くなる。したがって、くじ販売システムは、利用者がくじを途中でも購入できるようにさせ、かつ、後から購入した購入者が有利にはならないように配当金を配当することができる。
【０００９】
また、前記課題を解決するために、請求項３に記載のくじ当選金配当サーバは、所定の競技者が所定期間に予め定められた回数だけ他の競技者と行う複数回の競技についての前記所定期間を通じた最終的な競技結果を予測対象とするくじを購入して当選した当選者に対して前記くじの配当金を配当するくじ当選金配当サーバであって、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算手段を備えることを特徴とする。
【００１０】
かかる構成によれば、くじ当選金配当サーバは、初回の競技が始まる前に販売されたくじに配当される所定等級の全当選金を基準当選金として、より遅く販売されたくじについての所定等級の１口当りの配当金を、基準当選金から算出される１口当りの配当金よりも減額して配当する。したがって、くじ当選金配当サーバは、利用者がくじを途中でも購入できるようにさせ、かつ、後から購入した購入者が有利にはならないように当選金を配当することができる。
【００１１】
また、請求項４に記載のくじ当選金配当サーバは、請求項３に記載のくじ当選金配当サーバにおいて、前記配当計算手段が、前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、当該等級において購入時期に関わらずに全当選者に配当される全当選金を前記配当金分割指数で除した除算結果を前記基準当選金に定め、前記所定回の競技とその次回の競技との合間に購入した当選者に対する当該等級の当選金のすべてを、前記次回の競技についての前記期間減額指数と前記基準当選金との積を示す金額として割り当てることを特徴とする。
【００１２】
かかる構成によれば、くじ当選金配当サーバは、配当金分割指数を用いることで、購入時期に関わらない平均化された当選金を基準当選金として定める。この基準当選金は、初回の競技が始まる前にくじを購入した当選者に配当される所定等級の当選金すべてであると同時に、販売期間におけるくじ購入時期に応じた当選者の分布を反映した所定等級の配当金の基準金額となる。そして、くじ当選金配当サーバは、各回の競技についての期間減額指数と基準当選金との積を求める。
【００１３】
また、前記課題を解決するために、請求項５に記載のくじ当選金配当方法は、所定の競技者が所定期間に予め定められた回数だけ他の競技者と行う複数回の競技についての前記所定期間を通じた最終的な競技結果を予測対象とするくじを購入して当選した当選者に対して前記くじの当選金を配当した配当金を計算する配当計算手段を備えたくじ当選金配当サーバのくじ当選金配当方法であって、前記当選金配当サーバが、前記配当計算手段によって、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算ステップを含んで実行することを特徴とする。
【００１４】
かかる手順によれば、くじ当選金配当サーバは、初回の競技が始まる前に販売されたくじに配当される所定等級の全当選金を基準当選金として、より遅く販売されたくじについての所定等級の１口当りの配当金を、基準当選金から算出される１口当りの配当金よりも減額して配当する。したがって、くじ当選金配当サーバは、利用者がくじを途中でも購入できるようにさせ、かつ、後から購入した購入者が有利にはならないように当選金を配当することができる。
【００１５】
また、請求項６に記載のくじ当選金配当方法は、請求項５に記載のくじ当選金配当方法において、前記配当計算手段が、前記配当計算ステップにて、前記各回の競技に対して前記くじが販売された時期が遅いほど小さくなるように案分された減衰比率と、所定回の競技とその次回の競技との合間に販売された前記くじに対する所定等級の当選口数と、の乗算結果である期間減額指数を前記複数回の競技について加算した総和を配当金分割指数として、当該等級において購入時期に関わらずに全当選者に配当される全当選金を前記配当金分割指数で除した除算結果を前記基準当選金に定め、前記所定回の競技とその次回の競技との合間に購入した当選者に対する当該等級の当選金のすべてを、前記次回の競技についての前記期間減額指数と前記基準当選金との積を示す金額として割り当てることを特徴とする。
【００１６】
かかる手順によれば、くじ当選金配当サーバは、配当金分割指数を用いることで、購入時期に関わらない平均化された当選金を基準当選金として定める。この基準当選金は、初回の競技が始まる前にくじを購入した当選者に配当される所定等級の当選金すべてであると同時に、販売期間におけるくじ購入時期に応じた当選者の分布を反映した所定等級の配当金の基準金額となる。そして、くじ当選金配当サーバは、各回の競技についての期間減額指数と基準当選金との積を求める。
【００１７】
また、請求項７に記載の配当計算プログラムは、所定の競技者が所定期間に予め定められた回数だけ他の競技者と行う複数回の競技についての前記所定期間を通じた最終的な競技結果を予測対象とするくじを購入して当選した当選者に対して前記くじの配当金を配当するために、コンピュータを、初回の前記競技が始まる前に前記くじを購入した当選者に配当される所定等級の当選金のすべてを基準当選金として、前記初回の競技が開始して最終回の競技までの残りの競技が存在している期間中に前記くじを購入した当選者の前記所定等級の１口当りの配当金を、前記くじを購入した時期が遅いほど、前記基準当選金から求められる１口当りの配当金よりも減額して配当する配当計算手段として機能させることを特徴とする。
【００１８】
このように構成されることにより、この配当計算プログラムをインストールされたコンピュータは、このプログラムに基づいた機能を実現することができる。
【００１９】
また、前記課題を解決するために、請求項８に記載のくじ販売システムは、所定の競技者が所定期間に予め定められた回数だけ他の競技者と行う複数回の競技についての前記所定期間を通じた最終的な競技結果を予測対象とするくじを購入して当選した当選者に対して前記くじの配当金を算出するくじ当選金配当サーバとを備えるくじ販売システムであって、前記くじ当選金配当サーバが、前記くじを購入した当選者に対して、購入時期の残り試合数が多いほど高い配当金額を与えるようにしたことを特徴とする。
【００２０】
かかる構成によれば、くじ販売システムでは、くじ当選金配当サーバは、くじを購入した当選者に対して、購入時期の残り試合数が多いほど高い配当金額を与えるので、利用者がくじを途中でも購入できるようにさせ、かつ、後から購入した購入者が有利にはならないように配当金を配当することができる。
【００２１】
また、請求項９に記載のくじ販売システムは、所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を算出するくじ当選金配当サーバとを備えるくじ販売システムであって、前記くじ当選金配当サーバが、前記くじを購入した当選者に配当される所定等級の当選金を当該等級の当選口数と購入時期の残り試合数に応じた優遇比率により分配して基本配当金額とし、前記基本配当金額と、各当選者の購入時期における残り試合数に応じた優遇比率をもとに１口当たりの配当金額として算出することを特徴とする。
【００２２】
かかる構成によれば、くじ販売システムでは、くじ当選金配当サーバは、所定等級の当選金すべてを当選口数と購入時期の残り試合数に応じた優遇比率により分配した基本配当金額と、その優遇比率とをもとに１口当たりの配当金額として算出するので、初回の競技が始まる前や始まった後など全購入期間を合わせて当選金の配当を求めることができる。
【００２３】
また、請求項１０に記載のくじ販売システムは、所定の競技者が所定期間に予め定められた回数だけ他の競技者と行う複数回の競技についての前記所定期間を通じた最終的な競技結果を予測対象とするくじを販売するくじ販売装置と、前記くじを購入して当選した当選者に対して前記くじの配当金を算出するくじ当選金配当サーバとを備えるくじ販売システムであって、前記くじ当選金配当サーバが、前記くじを購入した当選者に配当される所定等級の当選金を当該等級の当選口数と購入時期の残り試合数に応じた優遇比率で分割して単位当たりの配当金を決定し、前記単位毎の配当金に、各当選者の購入時期における残り試合数に応じた優遇比率を掛けた金額を１口当たりの配当金額として算出することを特徴とする。
【００２４】
かかる構成によれば、くじ販売システムでは、くじ当選金配当サーバは、所定等級の当選金すべてを当選口数と購入時期の残り試合数に応じた優遇比率で分割して単位当たりの配当金と、その優遇比率とを掛けた金額を１口当たりの配当金額として算出するので、初回の競技が始まる前や始まった後など全購入期間を合わせて当選金の配当を求めることができる。
【００２５】
また、請求項１１に記載のくじ販売システムは、請求項９または請求項１０に記載のくじ販売システムにおいて、前記優遇比率が、購入時期の残り試合数のｎ乗、または購入時期の残り試合数に所定の係数を掛けた値であることが好ましい。
【００２６】
かかる構成によれば、くじ販売システムでは、くじ当選金配当サーバは、くじを購入した当選者に対して、購入時期の残り試合数が多いほど高い配当金額を与えることができる。
【発明の効果】
【００２７】
本発明によれば、くじ当選金配当サーバは、利用者がくじを途中でも購入できるようにさせ、かつ、後から購入した購入者が有利にはならないように配当金を配当することができる。したがって、利用者は、くじ対象の一連の複数の競技のうち最終回の競技までの残りの競技が存在していれば、いつでもくじを購入することができ、購入時期が早いほど恩恵を享受することができる。また、くじ購入時期に応じた不公平感を緩和することができる。その結果、くじを購入しようとする利用者を従来よりも増加させることができる。
【発明を実施するための最良の形態】
【００２８】
以下、図面を参照して本発明のくじ販売システム、くじ当選金配当サーバ、くじ当選金配当方法を実施するための最良の形態（以下「実施形態」という）について詳細に説明する。
【００２９】
［くじ販売システムの構成］
図１は、本発明の実施形態に係るくじ販売システムの構成を模式的に示す図である。くじ販売システム１は、所定の競技者が所定期間に予め定められた回数だけ他の競技者と行う複数回の競技についての所定期間を通じた最終的な競技結果を予測対象とするくじを販売するものである。競技者は、チーム、その所属選手、または、競走馬などの動物を示す。本実施形態では、競技をサッカー、競技者をサッカーチームとし、競技をサッカーの試合（単に試合という）とする。また、具体例を挙げるときには、所定期間を例えば１年間、この期間に定められた回数を例えば３２回、予測対象をチームの例えば試合勝敗数（勝ち数、負け数、引き分け数）として説明する。
【００３０】
くじ販売システム１は、図１に示すように、くじ販売元に設置されたくじ当選金配当サーバ１０と、販売会社に設置されたくじ販売装置２０と、くじを購入する利用者が使用する端末装置３０と、金融機関に設置された課金振込装置４０とを備えている。本実施形態では、利用者は、販売会社の用意したくじ販売サイトを経由して、くじ販売元に会員登録を行い、くじ販売元からくじを購入する（投票する）ものとする。また、利用者は、くじ販売期間が開始してから第１回（初回）の試合が始まる前にくじを購入することができるだけではなく、第１回の試合が開始してから最終試合までの残りの試合（残り試合）が存在している期間中（シーズン中）に途中でくじを購入することができる。くじ当選者は、くじ購入のタイミングに応じて金額が変化する配当金を受け取る。
【００３１】
くじ当選金配当サーバ１０と、くじ販売装置２０と、端末装置３０と、課金振込装置４０とは、例えば、ＣＰＵ（Central Processing Unit）、ＲＯＭ（Read Only Memory）、ＲＡＭ（Random Access Memory）、通信を行うためのＮＩＣ（Network Interface Card）等のコンピュータ、および、ＨＤＤ（Hard Disk Drive）に記憶されＲＡＭに展開されるプログラムを備えており、例えば、インターネットやＬＡＮ（Local Area Network）等のネットワークＮに接続されている。なお、図１では、くじ販売装置２０と、端末装置３０と、課金振込装置４０とを１台ずつ示したが、これらの台数は任意である。
【００３２】
くじ当選金配当サーバ１０は、くじを購入して当選した当選者に対してくじの配当金を配当するものである。くじ当選金配当サーバ１０は、初回の試合が始まる前にくじを購入した当選者に配当される所定等級の当選金すべてを基準当選金として、初回の試合が開始して最終試合までの残りの競技が存在している期間中にくじを購入した当選者の所定等級の１口当たりの配当金を、くじを購入した時期が遅いほど、基準当選金から算出される１口当りの配当金よりも減額して配当する。
【００３３】
くじ当選金配当サーバ１０は、例えば、一般的なハードディスク等から構成された記憶装置１１を備えている。記憶装置１１は、情報テーブルとして、例えば、くじ予定情報１１１と、くじ結果情報１１２と、くじ投票状況１１３と、購入情報１１４とを記憶する。
【００３４】
くじ予定情報１１１は、例えば、くじの販売期間やくじの内容を記載した情報を示す（図３参照）。なお、くじ予定情報には、利用者に提示する情報として、くじの単価や購入可能条件等を含めてもよい。
【００３５】
くじ結果情報１１２は、くじの販売期間が完了した後に集計されたくじ結果として、例えば、試合結果（勝敗や勝率）や、投票が集計された投票結果、過去のくじにおける当選結果、配当金等の情報を示す。
【００３６】
くじ投票状況１１３は、例えば、会員全体についての集計情報を示し、例えば、その時点で投票済みの投票内容や投票数の情報を含む。
【００３７】
購入情報１１４は、利用者（会員）が購入したくじの情報（例えば、くじの内容、口数、くじ結果）や、購入した利用者（会員）に関する情報等を示す。
【００３８】
くじ販売装置２０は、くじを販売する販売サイトを運営管理するＷｅｂサーバから構成され、記憶装置２１を備えている。記憶装置２１は、情報テーブルとして、例えば、くじ予定情報２１１と、くじ結果情報２１２と、くじ投票状況２１３と、購入情報２１４とを記憶するものであり、例えば、一般的なハードディスク等から構成される。
【００３９】
販売サイトは、くじ販売元と販売会社とのインタフェースとなっており、くじ予定情報２１１、くじ結果情報２１２、くじ投票状況２１３および購入情報２１４は、くじ販売装置２０が、くじ当選金配当サーバ１０から受信したものである。
【００４０】
なお、くじ投票状況２１３は、くじ販売装置２０において更新可能なテーブルである。また、購入情報２１４は、くじ販売装置２０において初期情報が生成されるテーブルであるものとする。販売会社は、販売代理店等であってもよい。販売会社は、利用者の要求に応じて、くじ予定情報２１１等を利用者に提供する。くじ予定情報２１１の提供方法は、ネットワークＮを介した通信によらずに郵送等で行ってもよい。
【００４１】
端末装置３０は、例えば、パーソナルコンピュータ（ＰＣ）、携帯電話、ＰＨＳ、情報携帯端末（ＰＤＡ：Personal Digital Assistants）等から構成される。端末装置３０は、くじ販売装置２０との間で各種情報を送受信する。
【００４２】
端末装置３０は、会員登録のために、ネットワークＮを介して、会員登録要求や利用者により入力された個人情報等をくじ販売装置２０に送信する。会員登録では、会員番号等のユーザＩＤやパスワードなどを登録する。なお、会員登録の際には、配当金を受け取るために当選金振込先も指定する。また、くじ販売装置２０が取得した会員情報は、ネットワークＮを介した通信に限らず郵送等の任意の方法でくじ販売元に通知することができる。
【００４３】
端末装置３０は、くじの購入（投票）のために、ネットワークＮを介して、利用者により入力された投票内容等をくじ販売装置２０に送信する。くじ購入の際には、くじを一意に特定できる投票登録番号が販売会社で付与され、投票は、くじ販売元にて管理されることとなる。利用者は、くじ購入の代金を自らの自動引落用の口座に予め入金しておく。
【００４４】
端末装置３０は、くじの投票状況やくじ結果を照会するために、ネットワークＮを介して、照会要求等をくじ販売装置２０に送信する。なお、利用者は、くじ結果を照会する際には、販売会社（またはくじ販売元）に対して、投票登録番号をキーとして問合わせを行う。
【００４５】
課金振込装置４０は、利用者がくじを購入した際に、利用者（会員）の口座から購入代金を引き落とす課金を行うと共に、くじ当選金配当サーバ１０から入金された配当金を利用者（会員）の口座（当選金振込先）に振り込むものである。なお、販売会社は、決済方式として、現金決済やクレジットカード決済などの一般的な方式も採用することができる。課金振込装置４０は、ネットワークＮを介して、くじ販売装置２０（またはくじ当選金配当サーバ１０）から会員情報を取得し、取得した会員情報を図示しない記憶手段に保存する。
【００４６】
［くじ当選金配当サーバの構成］
図２は、本発明の実施形態に係るくじ当選金配当サーバの構成の一例を示すブロック図である。くじ当選金配当サーバ１０は、記憶装置１１に加えて、入出力手段１２と、記憶手段１３と、制御手段１４とを備えている。入出力手段１２は、制御手段１４の制御の下、ネットワークＮを介してくじ販売装置２０との間で各種情報をやりとりするものである。記憶手段１３は、例えば、所定のプログラム等を記憶するＲＯＭや、制御手段１４による演算処理等に利用されるＲＡＭ、ハードディスク等により構成されている。
【００４７】
制御手段１４は、例えば、ＣＰＵから構成され、会員登録管理手段１４１と、投票管理手段１４２と、情報管理手段１４３と、当選者決定手段１４４と、配当計算手段１４５と、配当金管理手段１４６とを備えている。会員登録管理手段１４１は、くじ販売装置２０（または端末装置３０）から会員情報を取得し、取得した会員情報を記憶装置１１に保存するものである。
【００４８】
投票管理手段１４２は、くじ販売装置２０（または端末装置３０）から購入情報や投票の情報を取得し、取得した情報により、くじ投票状況１１３を更新する。投票管理手段１４２は、くじ結果情報を生成し、くじ販売装置２０（または端末装置３０）に送信する。
【００４９】
情報管理手段１４３は、記憶装置１１の各種の情報テーブルを管理するものであり、記憶装置１１に保存された情報テーブルをくじ販売装置２０に送信する。情報管理手段１４３は、くじ販売装置２０から取得した購入情報の初期情報に、各種情報を追加して購入情報１１４を生成する。情報管理手段１４３は、当選者や配当金が決定した後で、記憶装置１１に保存された購入情報１１４を更新し、更新後の購入情報をくじ販売装置２０に送信する。
【００５０】
くじ当選金配当サーバ１０は、購入情報１１４を生成するために、記憶装置１１に、くじ予定情報１１１の他に、くじ種マスター１１５と、くじ当選率１１６と、会員情報１１７とを格納している。図３は、くじ予定情報の一例を示すテーブルであり、図４は、くじ種マスターの一例を示すテーブルであり、図５は、くじ当選率の一例を示すテーブルであり、図６は、会員情報の一例を示すテーブルである。
【００５１】
＜くじ予定情報の具体例＞
くじ予定情報１１１は、図３に示すように、項目として、項番３０１と、販売開始３０２と、販売終了３０３と、くじ種３０４と、開催回３０５と、くじＩＤ３０６と、対戦チーム（ホーム）３０７と、対戦チーム（アウェイ）３０８と、くじ表示順３０９とを有する。ここで、販売開始３０２と、販売終了３０３とは、それぞれ販売開始日と販売終了日とを示す。くじ種３０４は、図４に示すくじ種マスター１１５の項番３１１に対応している。くじＩＤ３０６において、「１２３４」のくじは、テーブルにおいて２行にまたがっている。そのため、くじ表示順３０９において、対戦チーム別に、「１」、「２」のように記載順序を区別している。
【００５２】
＜くじ種マスターの具体例＞
くじ種マスター１１５は、図４に示すように、項目として、項番３１１と、くじ種３１２と、くじ分類３１３と、単価３１４とを有する。ここで、くじ種３１２は、くじの名称を示す。例えば、くじ分類３１３が「Ａ」であるくじは、特定のチームの１年間の勝敗を予想するくじを示す。また、くじ分類３１３が「Ｂ」であるくじは、複数の対戦カードのそれぞれの勝敗や得点差を予想するくじを示す。
【００５３】
＜くじ当選率の具体例＞
くじ当選率１１６は、図５に示すように、項目として、項番３２１と、開催回３２２と、くじＩＤ３２３と、くじ配当率３２４と、投票期間（開始）３２５と、投票期間（終了）３２６とを有する。図５に示す例では、図３に示した項番「１」のくじ（くじＩＤ「１２３２」のくじ）についてのくじ当選率を示している。「チームＡ」が、２００８年に３２回の試合を行うため、図５において、項番３２１が「１」〜「３２」まで用意されて各試合の開催順に対応している。くじＩＤ「１２３２」のくじの販売期間が「２００８年１月１日」〜「２００８年１２月３１日」までであることから、この販売期間が３２の投票期間に分割されている。図５において、投票期間（開始）３２５と、投票期間（終了）３２６とは、分割された３２の投票期間におけるそれぞれの開始日および終了日を示す。くじ配当率３２４は、試合開始日が遅いほど小さくなるように定められており、この例では、「３２／３２」〜「１／３２」まで等差数列となっている。
【００５４】
＜会員情報の具体例＞
会員情報１１７は、図６に示すように、項目として、項番３３１と、会員番号３３２と、郵便番号３３３と、住所３３４と、氏名３３５と、生年月日３３６と、電話番号３３７と、メールアドレス３３８と、銀行口座３３９とを有する。ここで、銀行口座３３９は、金融機関の名称、店番号、科目、口座番号等の情報やクレジットカードの番号等を示す。なお、図６に示すＸは一例であって、Ｘの個数は文字数に合致するものではない。
【００５５】
＜購入情報の具体例＞
図７は、購入情報の一例を示すテーブルである。購入情報１１４は、図７に示すように、項目として、項番４０１と、会員番号４０２と、購入日４０３と、配当４０４と、開催回４０５と、くじＩＤ４０６と、口数４０７と、投票受付日時４０８と、投票登録番号４０９と、金額４１０と、結果４１１と、配当金４１２とを有する。ここで、会員番号４０２は、図６に示す会員情報１１７の会員番号３３２に対応している。配当４０４は、購入日４０３と、図５に示すくじ当選率１１６の投票期間（開始）３２５および投票期間（終了）３２６とから求められるくじ配当率３２４（図５参照）から取得される。開催回４０５とくじＩＤ４０６とは、図３に示すくじ予定情報１１１の開催回３０５と、くじＩＤ３０６とに対応している。投票登録番号４０９は、投票を識別する情報を示す。金額４１０は、図４に示すくじ種マスター１１５の単価３１４と、口数４０７との積であるくじ購入代金を示す。結果４１１は、当選した等級（１等、２等、…）を示す。配当金４１２は、くじの等級毎の全当選金から投票口数に応じて配当される金額を示す。このうち、例えば、会員番号４０２と、購入日４０３と、開催回４０５と、くじＩＤ４０６と、口数４０７と、投票受付日時４０８と、投票登録番号４０９と、金額４１０とを初期情報として、くじ販売装置２０から取得することができる。また、配当４０４と、結果４１１と、配当金４１２とを後から追加する情報として生成することができる。
【００５６】
図２に示す当選者決定手段１４４は、予め定められた当選条件にしたがって、くじの当選者を決定するものである。予想した勝ち数、負け数、引き分け数と、結果の勝ち数、負け数、引き分け数との一致の度合いが高いほど、等級（１等，２等，…）が高くなるように定めた当選条件の一例を以下に示す。ここでは、試合総数をＴ（例えば、３２）として、そのうちの消化済み試合数をＵ（Ｔ≧Ｕ）とする。なお、「消化済み」とは、試合そのものが終了していなくてもよく、その試合が開始していればよいことを示す。途中でくじが購入できるくじ種についての所定等級（１等、２等、３等など）のくじの条件については、係数（Ｔ−Ｕ）／Ｔの値を基にして、例えば、表１のように定めることができる。表１において、ポイントの定義は以下の通りである。例えば、勝ち数「６」、負け数「４」と予想していた場合に、試合結果において勝ち数「５」、負け数「５」であれば、勝ち数の誤差が「１」、負け数の誤差が「１」なので、その合計値を「２ポイント」という。
【００５７】
【表１】
2009230639.tif 000003
【００５８】
図２に示す配当計算手段１４５は、配当金の割当を計算するものである。本実施形態では、配当金の割当を計算するために、「配当金分割指数」を導入した。配当金分割指数とは、減衰比率と、所定回の試合とその次回の試合との合間に販売されたくじに対する所定等級の当選口数と、の乗算結果である期間減額指数を複数の試合について加算した総和を示す。配当計算手段１４５は、所定の等級において購入時期に関わらずに全当選者に配当される全当選金を配当金分割指数で除した除算結果を基準当選金に定め、所定回の試合とその次回の試合との合間に購入した当選者に対する当該等級の当選金すべてを、次回の試合についての期間減額指数と基準当選金との積を示す金額として配当する。
【００５９】
具体的には、減衰比率は、購入時期に応じた係数（例えば、前記した表１の係数（Ｔ−Ｕ）／Ｔ）を基にしており、各回の試合に対してくじが販売された時期が遅いほど小さくなるように案分されている比率である。なお、Ｔは試合総数（例えば、３２）、Ｕ（Ｔ≧Ｕ）は消化済み試合数を示す。ここでは、減衰比率として、前記した表１の係数（Ｔ−Ｕ）／Ｔの２乗値を用いた式（１）を想定すると、表２に示すように、購入時期に応じた格差を設けることができる。このように、減衰比率として、係数の２乗値を用いることにより、早期に購入した人への配当を優遇することができる。
【００６０】
（（Ｔ−Ｕ）／Ｔ）2  …  式（１）
【００６１】
【表２】
2009230639.tif 000004
【００６２】
表２に示したＴ個の減衰比率と、今回の試合と次回の試合の合間に販売したくじの所定等級のＴ個の当選口数Ｎ0〜ＮT-1と、の乗算結果である期間減額指数Ｑ0〜ＱT-1を表３に示す。この場合、配当金分割指数Ｓは、式（２）で示される。
【００６３】
【表３】
2009230639.tif 000005
【００６４】
Ｓ＝Ｑ0＋Ｑ1＋Ｑ2＋…＋ＱT-2＋ＱT-1          …  式（２）
【００６５】
配当計算手段１４５は、式（２）に示す配当金分割指数Ｓを母数としてくじ販売時期に応じた配当金の分配を行うために基準当選金Ｋを定める。消化済み試合数Ｕ＝０（試合前）に購入した会員の配当金を行う場合の一例を以下に示す。ここでは、所定等級を「１等」とする。販売期間全体の投票金額を「ｐ」とする。販売期間全体の投票金額の半分「ｐ／２」の金額を、配当金総額とする。１等の全当選金を配当金総額のｑ％とする。２等の全当選金を配当金総額のｒ％とする。３等の全当選金を配当金総額のｓ％とする（ｑ＋ｒ＋ｓ＝１００）とする。なお、同様に４等以下の等級を設けることもできる。この場合、１等に対する基準当選金Ｋ、すなわち、消化済み試合数Ｕ＝０（試合前）に購入した当選者全員についての１等の全当選金は、式（３）で示される。
【００６６】
Ｋ＝（ｐ／２）×（ｑ／１００）×Ｑ0÷Ｓ  …  式（３）
【００６７】
式（３）から、消化済み試合数Ｕ＝０（試合前）に購入した当選者全員の全当選口数をＭ0とすると、１口当たりの配当金Ｌは、式（４）で示される。
【００６８】
Ｌ＝Ｋ÷Ｍ0  …  式（４）
【００６９】
ただし、１口当たりの配当金Ｌが、予め設定された上限額Ｍを超えている場合には、差額（Ｌ−Ｍ）は、キャリーオーバ（次回の同一等級の配当金への持越し金額）となる。
【００７０】
図２に示す配当金管理手段１４６は、配当計算手段１４５で計算された配当金を当選者の口座に振り込むものである。具体的には、配当金管理手段１４６は、課金振込装置４０に全配当金を入金し、課金振込装置４０から各当選金振込先への振込処理を依頼する。
【００７１】
なお、会員登録管理手段１４１、投票管理手段１４２、情報管理手段１４３、当選者決定手段１４４、配当計算手段１４５および配当金管理手段１４６は、ＣＰＵがハードディスク等に格納された所定のプログラムをＲＡＭに展開して実行することによりその機能が実現されるものである。
【００７２】
［くじ販売装置の構成］
図２に示すように、くじ販売装置２０は、記憶装置２１に加えて、入出力手段２２と、記憶手段２３と、制御手段２４とを備えている。入出力手段２２は、制御手段２４の制御の下、ネットワークＮを介してくじ販売装置２０との間で各種情報をやりとりするものである。記憶手段２３は、例えば、所定のプログラム等を記憶するＲＯＭや、制御手段２４による演算処理等に利用されるＲＡＭ、ハードディスク等により構成されている。
【００７３】
制御手段２４は、例えば、ＣＰＵから構成され、会員登録管理手段２４１と、投票管理手段２４２と、情報管理手段２４３とを備えている。会員登録管理手段２４１は、会員登録を行うものであり、端末装置３０から会員情報を取得し、取得した会員情報を記憶装置２１に保存するものである。会員登録管理手段２４１は、端末装置３０から取得した会員情報をくじ当選金配当サーバ１０および課金振込装置４０に送信する。
【００７４】
投票管理手段２４２は、端末装置３０から投票の情報を取得し、取得した情報により、記憶装置２１に保存されたくじ投票状況２１３を更新する。投票管理手段２４２は、くじ当選金配当サーバ１０からくじ結果情報を受信し、受信したくじ投票状況を記憶装置２１に保存する。投票管理手段２４２は、端末装置３０からの要求に応じて、保存されたくじ投票状況２１３を端末装置３０に通知する。
【００７５】
情報管理手段２４３は、くじ当選金配当サーバ１０から各種の情報テーブルを受信し、受信した情報テーブルを記憶装置２１に保存して管理するものである。情報管理手段２４３は、端末装置３０から投票の情報を受け付け、購入情報（初期情報）を生成する。この際に、情報管理手段２４３は、受け付けた投票の情報に対して、投票登録番号を付与する。情報管理手段２４３は、生成した購入情報（初期情報）をくじ当選金配当サーバ１０に送信する。情報管理手段２４３は、くじ当選金配当サーバ１０から、更新された購入情報やくじ結果情報を受信し、記憶装置２１に保存する。
【００７６】
［くじ販売システムの動作］
＜投票動作＞
図１に示したくじ販売システムにおける投票動作について図８を参照（適宜図１および図２参照）して説明する。図８は、本発明の実施形態に係るくじ販売システムにおける投票動作を模式的に示すシーケンス図である。くじ当選金配当サーバ１０は、情報管理手段１４３によって、くじ予定情報１１１等の各種の情報テーブルをくじ販売装置２０に送信する（ステップＳ１）。くじ販売装置２０は、情報管理手段２４３によって、受信した情報テーブルを記憶装置２１に保存する（ステップＳ２）。
【００７７】
端末装置３０は、会員登録を要求する（ステップＳ３）。例えば、利用者は、端末装置３０を使用して販売会社の販売サイトにアクセスする。この場合、くじ販売装置２０は、会員登録管理手段２４１によって、会員登録を行い（ステップＳ４）、取得した会員情報をくじ当選金配当サーバ１０および課金振込装置４０に送信する（ステップＳ５）。くじ当選金配当サーバ１０は、会員登録管理手段１４１によって、受信した会員情報を記憶装置１１に保存し（ステップＳ６）、課金振込装置４０は、受信した会員情報を図示しない記憶手段に保存する（ステップＳ７）。
【００７８】
販売会社は、利用者の要求に応じてくじ予定情報２１１を提供する。利用者は、販売サイトから供給されたくじ予定情報２１１を参照し、購入するくじ種を選択し、販売サイトにて販売会社の提供する決済方式を利用し、投票を行う。つまり、端末装置３０は、投票の情報をくじ販売装置２０に送信する（ステップＳ８）。くじ販売装置２０は、情報管理手段２４３によって、受信した投票の情報に基づいて購入情報（初期情報）を生成する（ステップＳ９）。
【００７９】
そして、くじ販売装置２０は、投票管理手段２４２によって、投票状況を更新し（ステップＳ１０）、情報管理手段２４３によって、購入情報（初期情報）をくじ当選金配当サーバ１０および課金振込装置４０に送信する（ステップＳ１１）。これにより、くじ当選金配当サーバ１０は、情報管理手段１４３によって、受信した購入情報を記憶装置１１に保存し（ステップＳ１２）、投票管理手段１４２によって、記憶装置１１に保存されたくじ投票状況１１３を更新する（ステップＳ１３）。また、課金振込装置４０は、受信した購入情報により、課金を行う（ステップＳ１４）。なお、ステップＳ１０とステップＳ１１との順序は任意であり、ステップＳ１２とステップＳ１３との順序も任意である。
【００８０】
＜配当動作＞
図１に示したくじ販売システムにおける配当動作について図９を参照（適宜図１および図２参照）して説明する。図９は、本発明の実施形態に係るくじ販売システムにおける配当動作を模式的に示すシーケンス図である。例えば、１年間の３２回の試合が終了した後で、くじ当選金配当サーバ１０は、当選者決定手段１４４によって、当選者を決定する（ステップＳ２１）。このときには、各等級の当選人数が決定する。そして、例えば、くじ当選金配当サーバ１０は、投票管理手段１４２によって、試合結果と当選人数を含むくじ結果情報を生成し、くじ販売装置２０に送信する（ステップＳ２２）。くじ販売装置２０は、情報管理手段２４３によって、受信したくじ結果情報を記憶装置２１に保存する（ステップＳ２３）。これにより、利用者は、端末装置３０から販売会社のサイトにアクセスすることで、試合結果や当選人数等のくじ結果をいち早く確認することができる。なお、ステップＳ２２，Ｓ２３の処理を省略して、配当金が確定してから配当金の情報と共に一括して通知することもできる。
【００８１】
続いて、くじ当選金配当サーバ１０は、配当計算手段１４５によって、配当金の割当を計算する（ステップＳ２４：配当計算ステップ）。そして、計算された配当金を用いて、くじ当選金配当サーバ１０は、情報管理手段１４３によって、記憶装置１１に保存されている購入情報１１４を更新し（ステップＳ２５）、更新した購入情報をくじ販売装置２０に送信する（ステップＳ２６）。くじ販売装置２０は、情報管理手段２４３によって、受信した購入情報を記憶装置２１に保存する（ステップＳ２７）。ここで、受信した購入情報には、更新されたことによって、くじ結果と共に当選者情報が記載されており、利用者のくじ結果が判別できるようになっている。
【００８２】
利用者は、端末装置３０から販売会社のサイトにアクセスすることで、配当金を含むくじ結果を確認する。すなわち、端末装置３０は、くじ結果を照会する情報（投票登録番号）をくじ販売装置２０に送信する（ステップＳ２８）。くじ販売装置２０は、投票管理手段２４２によって、照会に応じてくじ結果を端末装置３０に通知する（ステップＳ２９）。また、配当金を計算したくじ当選金配当サーバ１０は、配当金管理手段１４６によって、配当金の振込を行う（ステップＳ３０）。課金振込装置４０は、配当金の入金期間に利用者の口座（当選金振込先）に配当金を入金する（ステップＳ３１）。
【００８３】
［購入時期と、当選条件および配当金との関係の具体例］
ここで、購入時期と、当選条件および配当金との関係の具体例について表４および図１０を参照して説明する。
【００８４】
【表４】
2009230639.tif 000006
【００８５】
例えば、１年間の試合総数Ｔ＝３２の勝敗に関するくじとして１口１００円のくじを、販売期間中に２万人が１口ずつ（２００００口）購入すると、販売期間全体の投票金額ｐは２００万円となり、配当金総額（ｐ／２）は１００万円となる。このとき、配当金総額の７０％を１等に割り当てると、１等の全当選金は、７０万円となる。同様に、配当金総額の１５％を２等および３等にそれぞれ割り当てると、２等の全当選金は１５万円となり、３等の全当選金は１５万円となる。シリーズの試合結果が「１９勝９敗４分」であり、予想と完全に一致した１等の当選者が２０人であると仮定する。このうち、初回の試合前に購入した当選者が「１人」であり、途中購入者が「１９人」であるとする。途中購入者は、例えば、第３回の試合前に購入した当選者や、第２９回の試合前に購入した当選者が存在していたとする。投票時期やその時期の当選口数に応じて、１等の配当金（賞金）は、例えば、図１０に示す金額となる。図１０に示すように、くじ当選金配当サーバ１０は、くじを購入した当選者に対して、購入時期の残り試合数が多いほど高い配当金額を与えることができる。なお、２等、３等をそれぞれ１５万円としたが、２等を２０万円、３等を１０万円、のようにしてもよい。
【００８６】
また、表４および前記した表１に示した当選条件を用いた場合、投票時期に応じて２等の当選条件が図１０に示すように変動する。例えば、すべての試合が始まる前に、「１５勝１５敗２分」を予想して投票した人は、２等当選者となるが、途中購入者は、「１５勝１５敗２分」の同じ予想では、２等当選者とはならない。途中購入者が２等当選者となるための条件は、購入時期に応じて変動し、購入時期が遅くなるほど、確定勝敗「１９勝９敗４分」に近いものとなる。ここで挙げた数値は、計算例を説明するために導入したものであって、実際の当選条件や配当金を示すものではない。
【００８７】
また、くじの購入時期と各購入時期に応じた全当選金との間には次の関係がある。例えば、図１０に示す開催期間１に販売された各くじの当選による全配当金は、図１０に示す開催期間２に販売された各くじの当選による全配当金よりも多くなる。したがって、くじ販売システム１は、利用者がくじを途中でも購入できるようにさせ、かつ、後から購入した購入者が有利にはならないように当選金を配当することができる。なお、開催期間１に販売されたくじの当選口数が、開催期間２に販売されたくじの当選口数よりも少なければ、開催期間１に販売されたくじの１口当りの配当金が、開催期間２に販売されたくじの１口当りの配当金よりも小さくなる場合も生じる。
【００８８】
本実施形態によれば、くじ販売システム１では、くじ当選金配当サーバ１０は、初回の試合が始まる前に販売されたくじに配当される所定等級の当選金すべてを基準当選金Ｋとして、より遅く販売されたくじについての所定等級の１口当りの配当金を、基準当選金Ｋから算出される１口当りの配当金よりも減額して配当する。したがって、くじ販売システム１では、利用者がくじを途中でも購入できるようにさせ、かつ、後から購入した購入者が有利にはならないように配当金を配当することができる。そのため、利用者は、開始していない残り試合があれば、いつでもくじを購入することができ、購入時期が早いほど恩恵を享受することができる。また、くじ購入時期に応じた不公平感を緩和することができる。
【００８９】
以上、本発明の好ましい実施形態について説明したが、本発明は前記した実施形態に限定されるものではない。例えば、くじ当選金配当サーバ１０の配当計算手段１４５は、早期に購入した人への配当を優遇する減衰比率として、係数（Ｔ−Ｕ）／Ｔ）の２乗値を用いたが、格差を大きくする場合には、係数のｎ（ｎ＞２）乗値を用いるようにしてもよい。また、係数のべき乗に限らず、指数関数ｅx、対数関数やその他の単調増加関数により優遇するようにしてもよい。また、極端な低額（100円未満等）の支払いによる煩雑さを防ぐために、最低額を定め、最低額を除いて当選金を配当する計算を行うようにしてもよい。
【００９０】
また、当選金の配当を決めるやり方として、配当計算手段１４５が以下のような計算を行うことにより、全期間を合わせて計算することもできる。例えば、配当金分割指数Ｓを、前記した式（２）の代わりに、所定等級の当選口数と、購入時期の残り試合数に応じた優遇比率とにより分配して以下の式（５）で求める。ここで、Ｔは試合総数である。
【００９１】
【表５】
2009230639.tif 000007
【００９２】
Ｓ＝（Ｔ）2×Ｎ0＋（Ｔ−１）2×Ｎ1＋…＋（２）2×ＮT-2＋（１）2×ＮT-1 
…  式（５）
【００９３】
全期間を合わせると、例えば、１等の場合の当選金支払い可能金額Ｋ1は、式（６）で求められる。
【００９４】
Ｋ1＝（ｐ／２）×（ｑ／１００）  …  式（６）
【００９５】
式（６）では、前記した配当計算手段１４５の説明と同様に、販売期間全体の投票金額を「ｐ」、販売期間全体の投票金額の半分「ｐ／２」の金額を配当金総額とする。また、１等の全当選金を配当金総額のｑ％とする。１等の場合、基本配当金額である当選金指数Ｇ（単位当たりの配当金Ｇ）は、式（７）で求められる。
【００９６】
Ｇ＝Ｋ1÷Ｓ  …  式（７）
【００９７】
さらに、試合開催数（回）に応じた各期間ごとの一人当たりの当選者の当選金は、式（７）に示す単位当たりの配当金Ｇに、購入時期の残り試合数に応じた優遇比率を掛けることで求められ、例えば、
０（試合前）の場合  …  Ｇ×（Ｔ）2
１の場合            …  Ｇ×（Ｔ−１）2
：
：
Ｔ−２の場合        …  Ｇ×（２）2
Ｔ−１の場合        …  Ｇ×（１）2
となる。
【００９８】
このようにすれば、式（５）に示すＳを用いて全期間を合わせて当選金の配当を求めるので、例えば、購入時期の残り試合数に応じた優遇比率を調整したとしても、式（５）に示すＳを容易に計算し直すことができる。したがって、購入時期毎の当選口数にしたがって優遇比率を微調整することで、くじ購入時期に応じた不公平感をより緩和することができる。なお、優遇比率は残り試合数の２乗としたが、早い時期に購入した顧客を優遇できればよく、ｎ乗（ｎ＞２）あるいは所定の倍数を乗ずる等、種々の重み付けが可能である。
【００９９】
また、本実施形態では、試合の勝敗数（勝ち数、負け数、引き分け数）を予想するくじとして説明したが得点数を予想するくじでも同様に発明を実施することができる。
また、本実施形態では、当選条件を勝敗数の不一致数（表１においてポイント数）で説明したが、当選条件を勝率で定めてもよい。この場合、例えば、表６に示すように、誤差範囲はパーセンテージで決定される。このようにした場合には、たとえ全日程で予め定められた試合数の中で試合の中止があって代替試合がなされなかったとしても、その影響を排除することができる。なお、スポーツ振興くじでは、通常は代替試合が組まれるので、試合総数Ｔが変化することはない。
【０１００】
【表６】
2009230639.tif 000008
【０１０１】
また、本実施形態では、配当金をくじ販売元から当選者へ振り込むこととしたが、くじ販売元が販売会社に当選金額の一括振込を行い、この販売会社が当選者（配当金受取者）にあらためて振込を行うようにしてもよい。また、くじ販売元が配当金分配下請け会社（販売会社以外の第三者会社）へ一括振込を行い、配当金分配下請け会社が当選者にあらためて振込を行うこともできる。
【０１０２】
また、本実施形態では、利用者は、販売会社のサイトにて会員登録を行うこととしたが、くじ販売元にて会員登録を実施するようにしてもよい。また、本実施形態では、利用者は、販売会社を介して、くじ販売元との間で会員登録手続きを必要とし、販売会社は、くじ販売元へ会員情報を提供することとしたが、くじの販売に際しては会員登録を必須とするわけではない。
【０１０３】
また、本実施形態では、サッカーの試合についての勝敗数のくじとして説明したが、競馬の勝馬投票券についても同様の仕組みを実現することができる。この場合のくじ種は、例えば、特定の馬についてのシーズン中の勝率や勝ち数、特定の騎手についての勝率や勝ち数等を挙げることができる。
【０１０４】
また、本実施形態では、くじ販売装置２０を販売会社に設置することとしたが、くじ販売装置２０をくじ当選金配当サーバ１０と共に、くじ販売元に設けてもよい。この場合には、くじ販売装置２０とくじ当選金配当サーバ１０との間で情報を社内ＬＡＮにより通信することができる。さらに、くじ販売装置２０の機能をくじ当選金配当サーバ１０が保持するようにしてもよい。
【０１０５】
また、くじ当選金配当サーバ１０は、一般的なコンピュータを、配当計算手段１４５として機能させるプログラム（配当計算プログラム）により動作させることで実現することができる。このプログラムは、通信回線を介して配布することも可能であるし、ＣＤ−ＲＯＭ等の記録媒体に書き込んで配布することも可能である。このプログラムをインストールされたコンピュータは、ＣＰＵが、ＲＯＭ等に格納されたこのプログラムをＲＡＭに展開することにより、くじ当選金配当サーバ１０と同等の効果を奏することができる。
【図面の簡単な説明】
【０１０６】
【図１】本発明の実施形態に係るくじ販売システムの構成を模式的に示す図である。
【図２】本発明の実施形態に係るくじ当選金配当サーバの構成の一例を示すブロック図である。
【図３】本発明の実施形態に係るくじ当選金配当サーバが記憶するくじ予定情報の一例を示すテーブルである。
【図４】本発明の実施形態に係るくじ当選金配当サーバが記憶するくじ種マスターの一例を示すテーブルである。
【図５】本発明の実施形態に係るくじ当選金配当サーバが記憶するくじ当選率の一例を示すテーブルである。
【図６】本発明の実施形態に係るくじ当選金配当サーバが記憶する会員情報の一例を示すテーブルである。
【図７】本発明の実施形態に係るくじ当選金配当サーバが記憶する購入情報の一例を示すテーブルである。
【図８】本発明の実施形態に係るくじ販売システムにおける投票動作を模式的に示すシーケンス図である。
【図９】本発明の実施形態に係るくじ販売システムにおける配当動作を模式的に示すシーケンス図である。
【図１０】試合開催期間の途中でくじを購入した場合の配当の例を模式的に示す説明図である。
【符号の説明】
【０１０７】
１      くじ販売システム
１０    くじ当選金配当サーバ
２０    くじ販売装置
３０    端末装置
４０    課金振込装置
１１    記憶装置
１２    入出力手段
１３    記憶手段
１４    制御手段
１４１  会員登録管理手段
１４２  投票管理手段
１４３  情報管理手段
１４４  当選者決定手段
１４５  配当計算手段
１４６  配当金管理手段
２１    記憶装置
２２    入出力手段
２３    記憶手段
２４    制御手段
２４１  会員登録管理手段
２４２  投票管理手段
２４３  情報管理手段
Ｎ      ネットワーク
【図１】
2009230639.tif 000009
【図２】
2009230639.tif 000010
【図３】
2009230639.tif 000011
【図４】
2009230639.tif 000012
【図５】
2009230639.tif 000013
【図６】
2009230639.tif 000014
【図７】
2009230639.tif 000015
【図８】
2009230639.tif 000016
【図９】
2009230639.tif 000017
【図１０】
2009230639.tif 000018